(57)【要約】【課題】  構成部品の取付作業性に優れ、しかも長期間にわたって優れた耐久性を確保する。【解決手段】  自動車の車体Ａの側面からその側方に向かって張り出す張出部１１Ａを有するミラーベース１０と、張出部１１Ａに立設されたシャフト１０Ａと、シャフト１０Ａに回動自在に取り付けられ、車体Ａの後方を映すミラー３０が設けられたミラーハウジング２０と、を備え、ミラーハウジング２０の車体側側面に、開口２０Ｂが設けられている構成とした。【選択図】      図３
2006168648.tif 000002
【特許請求の範囲】
【請求項１】
自動車の車体の側面からその側方に向かって張り出す張出部を有するミラーベースと、
前記張出部に立設されたシャフトと、
このシャフトに回動自在に取り付けられ、前記車体の後方を映すミラーが設けられたミラーハウジングと、を備えたアウターミラーであって、
前記ミラーハウジングの前記車体側側面に、開口が設けられていることを特徴とするアウターミラー。
【請求項２】
前記開口を通じて前記ミラーハウジング内が、外部に臨まれることを特徴とする請求項１に記載のアウターミラー。
【請求項３】
前記シャフトは、前記張出部の底部側から挿入される固定用ねじによって前記張出部に固定される構成であり、前記開口は、前記固定用ねじの挿入口を形成することを特徴とする請求項１または請求項２に記載のアウターミラー。
【請求項４】
前記開口は、前記車体の側方の前方を映す補助ミラーで塞がれることを特徴とする請求項１から請求項３のいずれか１項に記載のアウターミラー。
【請求項５】
前記ミラーハウジングは、前記張出部の下側に張り出す膨出部を備え、この膨出部の前記車体側側面に、前記開口が設けられているとともに、この膨出部の前記張出部との対向部に、前記固定用ねじを前記張出部の底面側から螺入する際の挿通孔が形成されており、
前記挿通孔は前記開口を通じて前記膨出部の外側から臨まれる構成であることを特徴とする請求項３または請求項４に記載のアウターミラー。
【請求項６】
前記膨出部は前記ミラーハウジングと別体に設けられ、前記ミラーハウジングに取付可能な取付部を備えて構成されることを特徴とする請求項５に記載のアウターミラー。
【請求項７】
前記ミラーを支持し、前記ミラーハウジングに取り付けられるフレームを備え、
前記フレームは、少なくとも一箇所が、前記開口部を通じて前記ミラーハウジング内に挿入される取付ねじにより、前記ミラーハウジングの後面側から前記フレームに対して前記ミラーを取り付ける方向と交差する方向に取り付けられることを特徴とする請求項１から請求項６のいずれか１項に記載のアウターミラー。
【発明の詳細な説明】
【技術分野】
【０００１】
本発明は、自動車のサイドドア付近に付設されるアウターミラーに関する。
【背景技術】
【０００２】
従来のアウターミラーは、図１１に示すように、図示しない車体の側面からその側方に向かって張り出す張出部１００を有するミラーベース１１０と、この張出部１００上に固定されるシャフト１１１と、このシャフト１１１に駆動ユニット１１２を介して回動可能に取り付けられるミラーハウジング１１３と、このミラーハウジング１１３の後面側の開口１１３Ａに、鏡面の向きを調節するアクチュエータ１１４を介して取り付けられるミラー１１５とを主要部として構成されている（例えば、特許文献１参照）。
【特許文献１】特開２００４−２９９４８１号公報
【発明の開示】
【発明が解決しようとする課題】
【０００３】
ところで、前記した従来のアウターミラーでは、主としてミラーハウジング１１３の後面側の開口１１３Ａを利用して、駆動ユニット１１２が装着されたフレーム１２０をミラーハウジング１１３に組み付ける必要があり、取付作業性に改善の余地がある。
また、ねじ１１６によるフレーム１２０の止め付け方向と、自動車走行時にアウターミラーが走行風を受ける方向とが同じ方向であるため、振動等に抗して耐久性を確保することのできる取り付けを実現したいという要望もあった。
【０００４】
本発明は、かかる事情に鑑みてなされたものであり、その目的は、構成部品の取付作業性に優れ、しかも長期間にわたって優れた耐久性を確保できるアウターミラーを提供することにある。
【課題を解決するための手段】
【０００５】
前記課題を達成するために本発明のアウターミラーは、自動車の車体の側面からその側方に向かって張り出す張出部を有するミラーベースと、前記張出部に立設されたシャフトと、このシャフトに回動自在に取り付けられ、前記車体の後方を映すミラーが設けられたミラーハウジングと、を備えたアウターミラーであって、前記ミラーハウジングの前記車体側側面に、開口が設けられていることを特徴とする。
【０００６】
かかるアウターミラーによると、ミラーハウジングの車体側側面に開口が設けられているので、この開口を利用して、例えば、ミラーハウジング内への構成部品の挿入や取り付け、さらには、締付工具等による構成部品の取付作業を円滑に行うことができる。したがって、構成部品の取付作業性が向上するという利点が得られる。
また、ミラーハウジングの後面側の開口を利用した取付作業と相俟って作業性がより向上するという利点も得られる。
さらに、前記のように開口を利用して締付工具等を挿入することができるので、例えば、従来、締付工具が入らないなどの理由から、ミラーハウジング内において構成部品のレイアウトが成立し得なかったり、構成部品を固定することができなかったりした不具合を解消することができるようになる。
また、構成部品の取り付けにあたっては、従来のミラーハウジングの後面側の開口から行う取り付けと、車体側側面の開口から行う取り付けとの少なくとも２つの方向からの取り付けを行うことができるので、ミラーハウジングに対する構成部品の取付強度を増大させることができる。したがって、長期間にわたって優れた耐久性を確保した構成部品の取り付けが実現される。
【０００７】
また、本発明のアウターミラーは、前記開口を通じて前記ミラーハウジング内が、外部に臨まれる構成とするのがよい。
【０００８】
かかるアウターミラーによると、開口を通じて、ミラーハウジング内を目視することができ、例えば、ミラーハウジング内にフレームを固定する際の作業性が向上する。また、開口を通じてミラーハウジング内を目視確認することができるので、従来であればミラーハウジングを分解しなければ確認できなかった構成部品の状況も簡易に確認することができるようになる。
【０００９】
さらに、前記シャフトは、前記張出部の底部側から挿入される固定用ねじによって前記張出部に固定される構成であり、前記開口は、前記固定用ねじの挿入口を形成する構成とするのがよい。
【００１０】
かかるアウターミラーによると、開口が、固定用ねじの挿入口を形成するので、開口を通じて挿入される固定用ねじにより、張出部にシャフトを固定することができる。また、仮に、張出部の底部側の固定用ねじの挿入口がミラーハウジングによって一部あるいは全部が覆われるような構成であっても、この開口が形成されていることにより、開口を通じて固定用ねじを挿入することができ、固定用ねじによるシャフトの固定を確実に行うことができる。
【００１１】
また、前記開口は、前記車体の側方の前方を映す補助ミラーで塞がれる構成とするのがよい。
【００１２】
かかるアウターミラーによると、開口が補助ミラーで塞がれるようになっているので、補助ミラーで開口を隠すことができ、外観を向上させることができる。また、開口は前記のようにミラーハウジングの車体側の側面に設けられているので、この開口を塞ぐ状態の補助ミラーは、運転席から容易に目視することができる状態にあり、これによって、運転席に居ながらにして車体の側方の前方を補助ミラーを用いて容易に確認することができる。
【００１３】
さらに、前記ミラーハウジングは、前記張出部の下方に張り出す膨出部を備え、この膨出部の前記車体側の側面に、前記開口が設けられているとともに、この膨出部の前記張出部との対向部に、前記固定用ねじを前記張出部の底面側から螺入する際の挿通孔が形成されており、前記挿通孔は前記開口を通じて前記膨出部の外側から臨まれる構成とするのがよい。
【００１４】
かかるアウターミラーによると、膨出部の車体側側面に設けられた開口から、膨出部の張出部との対向部に形成された挿通孔を通じて、固定用ねじを、張出部の底面側から螺入することができる。つまり、ミラーハウジングが張出部の下方に張り出す膨出部を備えている構成であるにもかかわらず、固定用ねじによるシャフトの固定を行うことができる。したがって組立作業の行いやすいアウターミラーが得られる。
【００１５】
また、前記膨出部は前記ミラーハウジングと別体に設けられ、前記ミラーハウジングに取付可能な取付部を備えて構成するのがよい。
【００１６】
かかるアウターミラーによると、ミラーハウジングに対して後付けで膨出部を設けることができ、ミラーハウジングを成形する際の自由度やデザインの自由度が高まるようになる。また、ミラーハウジングに対して後付けで膨出部を設けることができるので、固定用ねじを張出部の底面側から螺入して張出部にシャフトを固定する際に、膨出部が邪魔になることがない。したがって、組立工程の自由度が高まるという利点が得られる。
【００１７】
また、前記ミラーを支持し、前記ミラーハウジングに取り付けられるフレームを備え、前記フレームは、少なくとも一箇所が、前記開口を通じて前記ミラーハウジング内に挿入される取付ねじにより、前記フレームに対して前記ミラーを取り付ける方向と交差する方向に取り付けられる構成とするのがよい。
【００１８】
かかるアウターミラーによると、フレームは、少なくとも一箇所が、開口を通じてミラーハウジング内に挿入される取付ねじにより、フレームに対してミラーを取り付ける方向と交差する方向に取り付けられるようになっているので、ミラーハウジングへのフレームの固定を、異なる２方向から行うことができ、フレームの取付強度を容易に高くすることができる。
【発明の効果】
【００１９】
本発明によれば、構成部品の取付作業性に優れ、しかも長期間にわたって優れた耐久性を確保できるアウターミラーが得られる。
【発明を実施するための最良の形態】
【００２０】
以下、添付図面を参照して、本発明の実施の形態を詳細に説明する。なお、説明において、同一の要素には同一の符号を用い、重複する説明は省略する。また、以下の説明において、方向を示す「前後」「左右」、「上下」などの文言は、いずれも車体を基準としたものとする。
（第１の実施形態）
図１は本発明の第１の実施形態に係るアウターミラーが取り付けられた自動車の車体左側の部分斜視図、図２はアウターミラーを運転席側から見たときの様子を示す斜視図、図３はアウターミラーの概略構造を示す分解斜視図である。図１、図２に示すように、アウターミラーは、自動車の車体Ａの助手席側のフロントサイドドアＤに付設されるいわゆるドアミラーであり、車体Ａの側面からその側方に向かって張り出す張出部１１Ａを有するミラーベース１０と、この張出部１１Ａの上側に取り付けられるミラーハウジング２０とから構成されている。ミラーハウジング２０には、図２に示すように、後側面に後方視認用のミラー３０が装着され、また、ミラーハウジング２０の車体側側面に、運転席からは直接に見ることのできない、車体Ａの助手席側の側方の前方を視認するための補助ミラー４０が設けられている。
【００２１】
そして、ミラーハウジング２０には、図３に示すように、補助ミラー４０が取り付けられる車体側側面に開口２０Ｂが設けられている。
【００２２】
また、本実施形態に係るアウターミラーは電動格納式であり、ミラーハウジング２０は、ミラーベース１０の張出部１１Ａに立設されるシャフト１０Ａ（図２参照）に対して回動可能に取り付けられている。
【００２３】
以下、各部について詳細に説明する。
ミラーベース１０は、本実施形態では、図１、図２に示すように、フロントサイドドアＤの枠Ｄ１に固定されるようになっており、図３に示すように、ベース本体１１と、このベース本体１１の車外側Ａ１の側面に覆設されるベースカバー１２と、ベース本体１１の車体側側面に固定されるシール部材１３と、パッキン１４とを備えて構成される。
【００２４】
ベース本体１１は、アルミダイキャストなどの鋳造法で製作され、板状の基部１１ａと、この基部１１ａの中央のやや下側位置から側方に（車体Ａの側方に）向けて張り出す張出部１１Ａとを備えている。基部１１ａには、ベースカバー１２が図示しない固定ねじで固定されるとともに、シール部材１３との対向面に、縦長の枠形状の取付ボス部１１ｂが突設されている。この取付ボス部１１ｂの上部および下部、さらには取付ボス部１１ｂの中間部には、ベース本体１１にシール部材１３をねじ止めする際のねじ穴となる固定穴１１ｅがそれぞれ設けられている。張出部１１Ａは、後面または前面から見た形状が基部１１ａ側から先端部に向かうにつれて細くなる三角状を呈しており、さらに、平らに形成された上面には、シャフト１０Ａを固定するための取付穴１１ｃ、およびミラーハウジング２０内からの図示しないワイヤーハーネスを車体Ａ側へ配索するための導出孔１１ｄが開口形成されている。なお、ワイヤーハーネスは、この導出孔１１ｄを通じて取付ボス部１１ｂの内側に形成された開口１１ｆから引き出される。
【００２５】
ベースカバー１２には、ベース本体１１の張出部１１Ａを少なくとも上面側が露出する状態に覆うカバー部１２ａが、車外側Ａ１に張り出す状態に形成されており、また、ベースカバー１２のベース本体１１との取付面に、このカバー部１２ａに通じる挿入孔１２ｂ、およびベース本体１１を固定する際のねじ穴となる固定穴１２ｃ，１２ｃが設けられている。なお、カバー部１２ａの底部には、ベース本体１１の張出部１１Ａの取付穴１１ｃを臨む挿入孔１２ｅが形成されている。このようなベースカバー１２をベース本体１１に取り付けるには、ベース本体１１の車体側から各固定穴１２ｃに図示しないねじを螺入すればよい。また、固定穴１２ｃ，１２ｃの近傍には、シール部材１３に設けられた図示しない係合部と係合するフック１２ｄ，１２ｄが突設されている。
【００２６】
シール部材１３はシート状に形成されており、上部１３ａおよび下部１３ｂがベースカバー１２の車体側側面にそれぞれ係合するように傾斜状に形成されている。シール部材１３の中央部には、ベース本体１１の取付ボス部１１ｂが収容される収容凹部１３ｃが形成されている。この収容凹部１３ｃには、ベース本体１１の各固定穴１１ｅに対応する位置に図示しない固定ねじを挿入するためのねじ穴１３ｅが形成されている。また、収容凹部１３ｃには、前記ワイヤーハーネスを車内側に引き出すための引出孔１３ｆが、ベース本体１１の開口１１ｆに対応する位置に形成されている。さらに、シール部材１３の車体側側面には、パッキン１４の納まりをよくするための折れ部１３ｇが形成されている。
このようなシール部材１３をベース本体１１に取り付けるには、シール部材１３の車体側側面の各ねじ穴１３ｅを通じてベース本体１１の各固定穴１１ｅに図示しないねじをそれぞれ螺入すればよい。なお、パッキン１４は、シール部材１３と図示しない車体側の取付座との間に装着される。
【００２７】
ミラーハウジング２０は、図２に示すように、シャフト１０Ａを介して張出部１１Ａの上側に水平回動可能に取り付けられる。本実施形態では、前記したように、ミラーハウジング２０の車体側側面に矩形状の開口２０Ｂが設けられており、この開口２０Ｂを通じてミラーハウジング２０内に取り付けられるフレーム５１等の構成部品が外部に臨まれるようになっている。本実施形態では、開口２０Ｂが、補助ミラー４０を取り付けるための部材として機能する取付部材４１で塞がれるように構成されている。
【００２８】
そのための構成として取付部材４１には、補助ミラー４０が取り付けられる面と反対側の面に、係合フック４１ａが突設されており、この係合フック４１ａをミラーハウジング２０の車体側側面の下部に形成された係合穴２０ｂに係合させることにより、ミラーハウジング２０に取付部材４１が取り付けられるようになっている。ここで、取付部材４１は、ミラーハウジング２０と別部材で構成されるので、左右方向の厚みを変更して形成したものを適宜用いることにより、車体Ａとの間隙Ｓ、具体的には、補助ミラー４０の鏡面とミラーベース１０のベースカバー１２の車外側側面との距離を調整することができる。したがって、車種によって変化する像の見え方を、左右方向の厚みの異なる取付部材４１に交換することによって、補助ミラー４０に像が適切な状態に映るようにすることができる。この場合、間隙Ｓの調整は、取付部材４１を交換することによって行うことができるので、ミラーハウジング２０自体を車種によって交換する煩雑さがなくなり、共通化を図りながらコストを低減することができるという利点が得られる。しかも、取付部材４１は、ミラーハウジング２０の大きさに対して極めて小さい部品であるので、交換の用に供する部品の取り置きが行い易く、交換も行い易い。
【００２９】
このような取付部材４１は、特許請求の範囲にいう「膨出部」に相当し、取付部材４１をミラーハウジング２０に取り付けると、張出部１１Ａの下側には、取付部材４１がミラーハウジング２０から張り出した状態に位置することとなる。なお、前記間隙Ｓが設けられているので、図８（ａ）（ｂ）に示すように、自動車走行時にアウターミラーへ流れてくる走行風の一部を、車体後方へ向けてスムーズに通過させることができる。これにより、アウターミラーによる走行風の乱れが低減され、風切り音の発生による騒音も低減される。また、間隙Ｓを通過する走行風により補助ミラー４０に付着した雨水等を吹き飛ばすことができる。また、間隙Ｓを通過した後の走行風によって、自動車のサイドウインドウＳＷに付着した雨水等をも吹き飛ばすことができる。したがって、運転席からアウターミラーを視認したときの視線に重なるサイドウインドウＳＷのエリアが見易くなる。
【００３０】
なお、ミラーハウジング２０は、補助ミラー４０がミラーベース１０の張出部１１Ａの上面１１Ａ1よりも下側に位置するようにミラーハウジング２０の車体側側面の略中央位置で張出部１１Ａに支持されるように構成されている。つまり、本実施形態のアウターミラーは、従来の一般的なアウターミラー（図１１参照）と同様の、張出部１１Ａの上側にミラーハウジング２０が支持されるという構造を採用しながらも、張出部１１Ａの上面１１Ａ1よりも下側に補助ミラー４０が位置するようになっている。また、補助ミラー４０は、取付部材４１を介してミラーハウジング２０に取り付けられた状態で、車体ＡのサイドウインドウＳＷの下端ラインＬよりも上側に位置するようになっている。なお、運転席から補助ミラー４０を見ることができる範囲であれば、補助ミラー４０は、下端ラインＬよりも下側の位置に設けてもよい。
【００３１】
さらに、ミラーハウジング２０は、張出部１１Ａの張り出し方向の外方に、ミラーハウジング２０の組立品の重心Ｇが位置するように構成されている。つまり、張出部１１Ａから重心Ｇまでの距離ＬＧが、図１１に示した従来のアウターミラーよりも短く（近く）なり、その分、張出部１１Ａに対してミラーハウジング２０が安定した状態で支持されるようになる。したがって、自動車走行時におけるミラーハウジング２０の組立品の振動を効果的に軽減することができる。
【００３２】
補助ミラー４０は、広角曲面鏡となっており、ミラーハウジング２０の車体側側面の限られた面積において、車体Ａの側方の前方のエリアを広く映し出すことができる。この広角鏡面鏡の鏡面は、球面の一部を切り取った形状である。補助ミラー４０の曲率半径は、１００ｍｍから１０００ｍｍ、好ましくは１００ｍｍから５００ｍｍである。曲率半径が１００ｍｍより小さいと補助ミラー４０に映った像の歪みが大きすぎて見づらくなり、また、曲率半径が１０００ｍｍよりも大きいと、平面鏡に近くなって広角ミラーの特徴が薄くなってしまう。このため、補助ミラー４０の曲率半径を前記した１００ｍｍから１０００ｍｍの範囲に設定して、補助ミラー４０に映った像の歪みを小さくしながらも、広いエリアを映し出すことができるようにしてある。また、前記のように補助ミラー４０の曲率半径を１００ｍｍから５００ｍｍの範囲に設定することにより、車体Ａの側方の前方のエリアを映し出すとともに、ミラーベース１０の直下のエリアをも含む、助手席側の車体側方の広いエリアを映し出すことが可能となる。
【００３３】
また、図２に示すように、補助ミラー４０は、やや下向きとなるように、つまり、補助ミラー４０の鏡面の少なくとも一部が張出部１１Ａの下方（真下を含む）から見えるような向きで取り付けられる。この場合、前記したように補助ミラー４０の曲率半径を１００ｍｍから５００ｍｍの範囲に設定することで、ミラーベース１０の下方から車体Ａの側方の前方の広いエリアを好適に映し出すことができるようになる。また、補助ミラー４０の取り付けられるミラーハウジング２０の車体側側面の下部は、通常、自動車走行時の走行風の流れを考慮して前後方向に分厚く形成される部分であり、その分、その他の部分に設けたときと比べて、形状の大きくされた補助ミラー４０を使用することができる。このため、このような位置に取り付けられる補助ミラー４０は、車体Ａの側方の前方の広いエリアを映し出すのに好適である。
【００３４】
ここで、前記したシャフト１０Ａは、前記したミラーベース１０のベース本体１１に設けられた張出部１１Ａに、固定用ねじ１０Ｂで固定され、張出部１１Ａの上面に立設されるようになっている。このため、シャフト１０Ａの固定にあたっては、ベースカバー１２のカバー部１２ａの底部側から挿入孔１２ｅを通じて固定用ねじ１０Ｂを螺入することにより行う必要がある。この場合、ミラーハウジング２０の下部が張出部１１Ａの下側まで張り出した形状であると、カバー部１２ａの挿入孔１２ｅがミラーハウジング２０の下部で隠れて、シャフト１０Ａを固定するための固定用ねじ１０Ｂの挿入が不可能になるおそれがある。これに対して、前記のように、補助ミラー４０が取付部材４１を介して取り付けられる構成では、ミラーハウジング２０の車体側側面の下部を、図３に示すように、張り出しを無くして、端面を平らに形成することができるので、カバー部１２ａの挿入孔１２ｅが完全に露出するようになり、固定用ねじ１０Ｂの挿入および螺入が容易に行われるようになる。
【００３５】
また、ミラーハウジング２０には、張出部１１Ａの上側となる位置（側方上部２０ａ）に、ミラーハウジング２０を格納あるいは使用位置へ復帰させるための駆動装置５０が内蔵されている（図３において一点鎖線で図示）。
駆動装置５０は、図示は省略するが、シャフト１０Ａに装着される減速機と駆動力を発生させるモータとを備え、モータの駆動力は減速機を介してシャフト１０Ａに伝達される。そして、このモータを駆動させるとミラーハウジング２０がシャフト１０Ａを中心として回動し、モータの回転方向を適宜制御することでミラーハウジング２０の格納と使用位置への復帰とが行われる。
【００３６】
本実施形態では、駆動装置５０が、ミラーハウジング２０の内部（ミラー３０の前方位置）に取付固定されるフレーム５１の車体側側方に形成された保持部５１ａに収容されて保持されるようになっている。このフレーム５１の後面側側部には、ミラー３０の角度を調節するためのアクチュエータ５２を介してミラーホルダ５３が取り付けられ、このミラーホルダ５３にミラー３０が取り付けられている。なお、ミラーホルダ５３とミラー３０との間には、ミラー３０の曇りを除去するシート状のヒータ５４が介設されている。
また、フレーム５１の車体側側面の下部には、ねじ穴５１ｂが開口を車体側へ向けて形成されており、ミラーハウジング２０内に形成された取付穴２０ｃを通じてねじが螺入されるようになっている。この螺入は、前記した開口２０Ｂから挿入されるねじによって後記のように行われる。
【００３７】
なお、ミラーハウジング２０の寸法・形状等は、デザイン等に応じて変更可能であり、図示のものに限定されることはない。ここで、前記のように、ミラーハウジング２０の車体側側面の下部を前後方向に分厚くなるように形成することで、取付部材４１の形状を大きく形成することができ、形状の大きくされた補助ミラー４０を取り付けることができるようになる。これによって、より広いエリアを補助ミラー４０で映し出すことができる。この場合、開口２０Ｂも必要に応じて大きく形成することができる。これにより、締付工具等による螺入作業がより行い易くなる。
【００３８】
また、駆動装置５０およびアクチュエータ５２へ電源を供給するための図示しないワイヤーハーネスは、シャフト１０Ａの内部を利用して配線される。すなわち、ワイヤーハーネスは、シャフト１０Ａの内部を通って、張出部１１Ａの導出孔１１ｄからミラーベース１０の内部（ベース本体１１）に導出され、さらに、ミラーベース１０のシール部材１３の引出孔１３ｆを通って車体Ａの内部に導出され、図示しない運転席周りのコントロールユニットに接続される。
【００３９】
次に、本実施形態に係るアウターミラーの組立手順を、図３を参照して説明する。
【００４０】
まず、フレーム５１に駆動装置５０およびアクチュエータ５２を組み付けたうえで、フレーム５１をミラーハウジング２０の後面側の開口２０Ａから内部に挿入し、図示しない固定ねじでフレーム５１をミラーハウジング２０に固定する。このとき、フレーム５１の固定は、ミラーハウジング２０の後面側の開口２０Ａから行うことができるとともに、ミラーハウジング２０の車体側側面の開口２０Ｂを通じて行われる。つまり、フレーム５１は、前記２つの開口２０Ａ，２０Ｂを利用して交差する方向に挿入され螺入されるねじによってミラーハウジング２０に固定されることとなる。この開口２０Ｂを利用した固定は、図３に示すように、開口２０Ｂから図示しないねじを挿入して、このねじをミラーハウジング２０の取付穴２０ｃに通した後に、フレーム５１のねじ穴５１ｂに螺入することにより行うことができる。
【００４１】
このようにしてミラーハウジング２０に固定される駆動装置５０には、あらかじめシャフト１０Ａを組み付けておき、ワイヤーハーネスはシャフト１０Ａを利用して外部に導出させておく。したがって、フレーム５１をミラーハウジング２０に組み付けると、ミラーハウジング２０の側方上部２０ａからシャフト１０Ａの下部が露出する。
【００４２】
次に、アクチュエータ５２に、図示しない爪と引掛け構造でミラーホルダ５３を取り付け、さらに、このミラーホルダ５３の後面に、粘着テープ等によってヒータ５４を貼り付ける。その後、ヒータ５４の後面に、粘着テープ等によってミラー３０を貼り付ける。
【００４３】
そして、ベース本体１１にベースカバー１２を被せ、ベース本体１１の車体側からベースカバー１２の各固定穴１２ｃに図示しないねじを螺入してベース本体１１とベースカバー１２とを一体にする。
【００４４】
続いて、前記のようにして組み立てたミラーハウジング２０のシャフト１０Ａをベース本体１１の張出部１１Ａに近づけ、張出部１１Ａの導出孔１１ｄにワイヤーハーネスを挿通させたうえで、シャフト１０Ａを張出部１１Ａに合わせ、ベースカバー１２のカバー部１２ａの底部側から張出部１１Ａの取付穴１１ｃを通じて、シャフト１０Ａに固定用ねじ１０Ｂを螺入し、シャフト１０Ａを張出部１１Ａに固定する。
【００４５】
そして、ミラーハウジング２０の車体側側面の下部に取付部材４１を取り付け、取付部材４１に補助ミラー４０を粘着テープ等により貼り付ける。このように取付部材４１をミラーハウジング２０に後付で固定することができるので、前記のように張出部１１Ａにシャフト１０Ａを固定する際に取付部材４１が邪魔にならない。したがって、組立工程の自由度が高まるという利点が得られる。なお、取付部材４１にあらかじめ補助ミラー４０を取り付けておくことにより、組立作業をよりスムーズに行うことができる。
【００４６】
続いて、シール部材１３のねじ穴１３ｅを通じてベース本体１１の固定穴１１ｅにねじを止め、ベース本体１１にシール部材１３を取り付ける。このとき、シール部材１３の引出孔１３ｆからワイヤーハーネスを引き出しておく。
そして、最後に、パッキン１４を介してシール部材１３を車体ＡのフロントサイドドアＤの枠Ｄ１に取り付けた図示しない固定座等に固定ねじ等を用いて固定する。これにより、車体Ａへのアウターミラーの取り付けが完了する。
【００４７】
次に、図４〜図６を参照して、本実施形態のアウターミラーを装着した自動車における運転席からの視認エリアについて説明する。
図４はアウターミラーにより映し出されるエリアの模式説明図、図５はアウターミラーにより映し出されるエリアの一部を車体の側方から示した模式説明図、図６はアウターミラーに映し出される像を示した図で、（ａ）は通常時における様子を示した図、（ｂ）はシフトレバーをリバースポジションに入れた状態（リバース時）における様子を示した図である。なお、アウターミラーの後方視認用のミラー３０は、上部に曲率半径７００ｍｍの球面部３１、下部に非球面部３２を備えたものを用い、また、図６（ｂ）に示すように、図示しない運転席側方のシフトレバーをリバースポジションに入れたときに、助手席側方の後方の路面へ向けて鏡面全体が所定角度傾くように設定されたものを使用した。そして、補助ミラー４０は、曲率半径２００ｍｍで面積が約５５ｃｍ2のものを使用した。
【００４８】
図４において、太い破線で示す視認エリアＰ１は、補助ミラー４０により映し出される視認エリアを示している。この視認エリアＰ１は、図６（ａ）（ｂ）に示すように、補助ミラー４０上に映し出される。
また、図４において、太い実線で示す視認エリアＰ２は、ミラー３０によるリバース時の視認エリアを示している。この視認エリアＰ２は、図６（ｂ）に示すように、ミラー３０の球面部３１および非球面部３２にわたって映し出される。
さらに、図４において、細い実線で示す視認エリアＰ３は、ミラー３０の非球面部３２によるリバース時の視認エリアを示している。この視認エリアＰ３は、図６（ｂ）に示すように、ミラー３０の非球面部３２上に映し出される。
また、図４において、細い破線で示す視認エリアＰ４は、ミラー３０の非球面部３２による通常時の視認エリアを示している。この視認エリアＰ４は、図６（ａ）に示すように、ミラー３０の非球面部３２に映し出される。
【００４９】
このように、本実施形態のアウターミラーを装着することにより、車体Ａの助手席側の側方の前方および後方の広いエリアを、補助ミラー４０およびミラー３０で同時に映し出すことが可能となる。
なお、図４，図５に示すように、助手席側のアウターミラーの直下に、車体Ａに接触させる状態で、高さ１ｍ、直径３０ｃｍの物体Ｂを配置したところ、図６（ａ）に示すように、ミラー３０と補助ミラー４０との両方のコーナー部分Ｐ５，Ｐ６にわたる状態に、この物体Ｂが映し出された。これは、図５に示すように、物体Ｂの頂部の角部が、補助ミラー４０により映し出される視認エリアＰ１の像、およびミラー３０の非球面部３２により映し出される視認エリアＰ３の像に、それぞれかかる状態となるからである。したがって、このアウターミラーでは、アウターミラーの直下の死角となり易いエリアにある物体Ｂをも認識が可能である。
【００５０】
図７（ａ）（ｂ）は本実施の形態のアウターミラーの変形例を示す図である。
図７（ａ）に示したアウターミラーでは、取付部材４１が平面視略コ字形に形成され、上面側およびミラーハウジング２０への取付面側に連続する開口部４１ｂ，４１ｃが形成されている。また、補助ミラー４０の取付面側に開口部４１ｄが形成されており、この開口部４１ｄの口縁に形成された段部に補助ミラー４０が嵌め入れられるようになっている。
【００５１】
このようなアウターミラーによると、取付部材４１に開口部４１ｂ，４１ｃ，４１ｄが形成されているので、これらの開口部４１ｂ，４１ｃ，４１ｄを有効に利用したアウターミラーの組み立てを行うことができる。つまり、ミラーハウジング２０のシャフト１０Ａ（適宜図３参照）をミラーベース１０のベース本体１１に形成された張出部１１Ａに固定する際、前記した実施形態の組立手順では、実施形態で示した取付部材４１の厚みによって、取付部材４１が固定用ねじ１０Ｂの挿入の妨げとなる場合があるので、固定用ねじ１０Ｂの螺入後に取付部材４１を取り付ける必要があったが、この変形例の取付部材４１では、先にこれをミラーハウジング２０に取り付けておいても、開口部４１ｂ，４１ｄを利用して、固定用ねじ１０Ｂの挿入および螺入を行うことができる。したがって、組立工程の自由度が高まるようになる。なお、取付部材４１をミラーハウジング２０に取り付けた後でも、補助ミラー４０を取り付ける前の段階であれば、開口部４１ｄが開口しているので、この開口部４１ｄからミラーハウジング２０の開口２０Ｂを通じて、ミラーハウジング２０内を臨むことができ、フレーム５１等の固定もこの開口部４１ｄ，開口２０Ｂを通じて挿入する締付工具により行うことができる。また、補助ミラー４０の取付後も、補助ミラー４０を取り外して開口部４１ｄを露出させることにより、簡単に分解を行うことができる。また、開口２０Ｂを通じてミラーハウジング２０内の様子を把握することができ、メンテナンス等が行い易い。また、分解を行う際には、開口２０Ｂを通じて締付工具等を挿入し、フレーム５１の固定を解除することができる。
【００５２】
図７（ｂ）に示したアウターミラーでは、ミラーハウジング２０の車体側側面の下部が張出部１１Ａの下側に一体的に張り出した形状に形成されている。つまり、このアウターミラーでは、ミラーハウジング２０に対して前記の図７（ａ）に示した取付部材４１が一体的に形成された構成となっている。
【００５３】
このようなアウターミラーによると、張り出した部分に形成された開口部４１ｂ，４１ｄを利用した前記と同様の組立手順によりアウターミラーの組み立てやメンテナンス、さらには分解等を行うことができる。つまり、ミラーハウジング２０が張出部１１Ａの下方に張り出す膨出部（取付部材４１）を備えている構成であるにもかかわらず、固定用ねじ１０Ｂによるシャフト１０Ａの固定を行うことができる。また、このアウターミラーでは、前記のように取付部材４１を取り付ける工程が必要とならないので、その分、組立工程が簡略化される。
【００５４】
以上説明したアウターミラーによると、ミラーハウジング２０の車体側側面に開口２０Ｂが設けられているので、この開口２０Ｂを利用して、例えば、ミラーハウジング２０内への構成部品の挿入や取り付け、さらには、締付工具等による構成部品の取付作業を円滑に行うことができる。したがって、構成部品の取付作業性が向上するという利点が得られる。
また、ミラーハウジング２０の後面側の開口２０Ａを利用した取付作業と相俟って作業性がより向上するという利点も得られる。
さらに、前記のように開口２０Ｂを利用して締付工具等を挿入することができるので、例えば、従来、締付工具が入らないなどの理由から、ミラーハウジング２０内において構成部品のレイアウトが成立し得なかったり、構成部品を固定することができなかったりした不具合を解消することができるようになる。
また、構成部品の取り付けにあたっては、従来のミラーハウジング２０の後面側の開口２０Ａから行う取り付けと、開口２０Ｂ側から行う取り付けとの少なくとも２つの方向からの取り付けを行うことができるので、ミラーハウジング２０に対する構成部品の取付強度を増大させることができる。したがって、長期間にわたって優れた耐久性を確保した構成部品の取り付けが実現される。
【００５５】
また、開口２０Ｂを通じてミラーハウジング２０内が、外部に臨まれるので、ミラーハウジング２０内を目視することができ、例えば、ミラーハウジング２０内にフレーム５１を固定する際の作業性が向上する。また、開口２０Ｂを通じてミラーハウジング２０内を目視確認することができるので、従来であればミラーハウジング２０を分解しなければ確認できなかった構成部品の状況も簡易に確認することができるようになる。
【００５６】
さらに、シャフト１０Ａは、張出部１１Ａの底部側から挿入される固定用ねじ１０Ｂによって張出部１１Ａに固定される構成であり、開口２０Ｂは、固定用ねじ１０Ｂの挿入口を形成するので、開口２０Ｂを通じて挿入される固定用ねじ１０Ｂにより、張出部１１Ａにシャフト１０Ａを固定することができる。また、仮に、張出部１１Ａの底部側の固定用ねじ１０Ｂの挿入口がミラーハウジング２０によって一部あるいは全部が覆われるような構成であっても、この開口２０Ｂが形成されていることにより、開口２０Ｂを通じて固定用ねじ１０Ｂを挿入することができ、固定用ねじ１０Ｂによるシャフト１０Ａの固定を確実に行うことができる。
【００５７】
また、開口２０Ｂは、車体Ａの側方の前方を映す補助ミラー４０が取り付けられた取付部材４１で塞がれるようになっているので、補助ミラー４０および取付部材４１で開口２０Ｂを隠すことができ、外観を向上させることができる。また、開口２０Ｂは前記のようにミラーハウジング２０の車体側側面に設けられているので、この開口２０Ｂを塞ぐ状態の補助ミラー４０は、運転席から容易に目視することができる状態にあり、これによって、運転席に居ながらにして車体Ａの側方の前方を補助ミラー４０を用いて容易に確認することができる。
【００５８】
また、フレーム５１は、少なくとも一箇所が、開口２０Ｂを通じてミラーハウジング２０内に挿入される取付ねじにより、フレーム５１に対してミラー３０を取り付ける方向と交差する方向に取り付けられるようになっているので、ミラーハウジング２０へのフレーム５１の固定を、異なる２方向から行うことができ、フレーム５１の取付強度を容易に高くすることができる。
【００５９】
（第２の実施形態）
第２の実施形態に係るアウターミラーは、図９，図１０に示すように、ミラーハウジング６０に後方補助ミラー７０を設けたものである。
【００６０】
後方補助ミラー７０は、ミラーハウジング６０の張出部１１Ａの上側となる位置（側方上部６０ａ）に、鏡面が路面側へ向くように下向きに傾斜させた状態に取り付けられている。このような後方補助ミラー７０を用いることにより、車体Ａの側方の後方の、車体側面に近い側を映し出すことができる。
【００６１】
このようなアウターミラーによると、後方補助ミラー７０を用いて、車体Ａの側方の後方を確認することができ、後方視認用のミラー３０の使用と相俟って、車体Ａの後方の、運転席からでは通常見ることのできないエリアを簡単に視認することができる。しかも、後方補助ミラー７０は、ミラーハウジング６０の張出部１１Ａの上側に設けられているので、後方視認用のミラー３０からの視線の移動が最小限で済み、視認性にも優れている。
【００６２】
また、このアウターミラーにおいても、補助ミラー４０は、ミラーハウジング６０の車体側側面の下部に形成された開口２０Ｂを塞ぐ状態に取り付けられている。したがって、この開口２０Ｂを補助ミラー４０で塞ぐ前の状態であれば、前記した第１の実施形態のアウターミラーと同様に、開口２０Ｂを通じてミラーハウジング２０内を臨むことが可能であり、組立作業やメンテナンス、さらには分解作業が行い易いという利点を有している。
【００６３】
以上、本発明に係る実施形態について説明したが、これらをさらに種々変更して用いることも可能である。
前記した各実施形態では、開口２０Ｂをミラーハウジング２０の車体側側面の下部に設けたが、これに限られることはなく、車体側側面の上部や斜め側方等に設けることができる。また、開口２０Ｂの形状は、種々選択可能であり、その大きさも適宜設定可能である。例えば、締付工具等の先端部が挿入可能な程度の大きさに開口２０Ｂが形成されていてもよい。
なお、補助ミラー４０を必要としない車両の仕様によっては、開口２０Ｂに補助ミラー４０を設けていない取付部材を取り付けてもよい。その場合の取付部材の形状は、ミラーハウジング２０の形状に併せて（沿って）滑らかな外観を有するものが好ましい。
【００６４】
さらに、前記した各実施形態では、ミラーハウジング２０がミラーベース１０のベース本体１１から張り出された張出部１１Ａに固定される構成としたが、これに限られることはなく、張出部１１Ａのみでミラーベースを構成してもよい。つまり、張出部１１Ａが車体Ａのピラーや取付座に直接取り付けられるように構成してもよいし、サイドウインドウＳＷの三角コーナー部等から車体Ａの側方へ張り出すように設けてもよい。
【００６５】
また、前記した各実施形態では、助手席側に設けられるアウターミラーについて説明したが、運転席側に設けても差し支えない。この場合、図示は省略するが補助ミラー４０が車体Ａの後方を映し出すようにミラーハウジング２０に対して取り付けられるように構成してもよい。
【００６６】
また、前記した各実施形態に係るアウターミラーは、電動格納式であったが、これに限定されることはなく、手動格納式や固定式のものであっても差し支えない。
【図面の簡単な説明】
【００６７】
【図１】本発明の第１の実施形態に係るアウターミラーが取り付けられた自動車の車体左側（助手席側）の部分斜視図である。
【図２】アウターミラーを運転席側から見たときの様子を示す斜視図である。
【図３】アウターミラーの概略構造を示す分解斜視図である。
【図４】アウターミラーにより映し出されるエリアの模式説明図である。
【図５】アウターミラーにより映し出されるエリアの一部を車体の側方から示した模式説明図である。
【図６】アウターミラーに映し出される像を示した図で、（ａ）は通常時における様子を示した図、（ｂ）はシフトレバーをリバースポジションに入れた状態（リバース時）における様子を示した図である。
【図７】（ａ）（ｂ）は本実施の形態のアウターミラーの変形例を示す図である。
【図８】（ａ）（ｂ）は走行風の流れを示した説明図である。
【図９】本発明の第２の実施形態に係るアウターミラーの前面側から見た斜視図である。
【図１０】同じく本発明の第２の実施形態に係るアウターミラーの後面側から見た斜視図である。
【図１１】従来技術の説明図である。
【符号の説明】
【００６８】
１０    ミラーベース
１０Ａ  シャフト
１１    ベース本体
１１Ａ    張出部
１１Ａ1  上面
１２    ベースカバー
１２ａ  カバー部
１２ｄ  フック
１３    シール部材
２０    ミラーハウジング
２０Ｂ  開口
２０ａ  側方上部
３０    ミラー
３１    球面部
３２    非球面部
４０    補助ミラー
４１    取付部材（膨出部）
５０    駆動装置
５１    フレーム
５２    アクチュエータ
７０    後方補助ミラー
Ａ      車体
Ａ１    車外側
Ｐ１〜Ｐ４    視認エリア
【図１】
2006168648.tif 000003
【図２】
2006168648.tif 000004
【図３】
2006168648.tif 000005
【図４】
2006168648.tif 000006
【図５】
2006168648.tif 000007
【図６】
2006168648.tif 000008
【図７】
2006168648.tif 000009
【図８】
2006168648.tif 000010
【図９】
2006168648.tif 000011
【図１０】
2006168648.tif 000012
【図１１】
2006168648.tif 000013